(57)【要約】［目的］  本発明は、マンガ用のコマを作成するための描画装置等であって、特に、コマとコマの間隔を任意の幅に自動的に保持することができる等の描画装置等を提供することを目的とする。［構成］  本発明は、線描画手段が、入力手段から指定された線を中心として複数の線を描画し、コマ確定手段が、線描画手段により形成された複数の線により、台紙を分割して複数のコマを形成し、出力手段が、コマ確定手段により形成された複数のコマを表示又はプリントする様になっている。【選択図】図１
2004342002.tif 000002
【特許請求の範囲】
【請求項１】
マンガ用のコマを作成するための描画装置であって、入力手段から指定された線を中心として複数の線を描画するための線描画手段と、この線描画手段により形成された複数の線により、台紙を分割して複数のコマを形成するためのコマ確定手段と、このコマ確定手段により形成された複数のコマを表示又はプリントするための出力手段とからなるマンガ用枠線描画装置。
【請求項２】
マンガ用のコマを作成するための描画装置であって、入力手段から入力されたコマ数を指定するためのコマ数指定手段と、入力手段から入力された縦・横各々の線の幅を指定するための線幅指定手段と、コマ数指定手段で指定されたコマ数からワク線数を決定し、コマのサイズを確定するためのコマエリア決定手段と、このコマエリア決定手段により決まったコマを描画するための枠線描画手段と、この枠線描画手段により形成された複数のコマを表示又はプリントするための出力手段とからなるマンガ用枠線描画装置。
【請求項３】
多角形の図形を描画するための図形描画手段と、この図形描画手段で描画された多角形の辺に沿って指定間隔の線を形成するための線描画手段と、この線描画手段で形成された線により、台紙を分割して複数の図形のコマを形成するためのコマ確定手段と、このコマ確定手段により形成された複数のコマを表示又はプリントするための出力手段とからなるマンガ用枠線描画装置。
【請求項４】
使用される線は、実線の他に文字や図形等を使用した請求項１から請求項３の何れか１項記載のマンガ用枠線描画装置。
【請求項５】
等幅を含む任意の間隔を持つ複数の枠線を指定し移動することで、この操作に影響するすべての図形と図形の間隔を任意の幅で保持し続けたまま、この操作に影響するすべての多角形の図形を、自動的に変形あるいは移動することができる請求項１から請求項３の何れか１項記載のマンガ用枠線描画装置。
【請求項６】
作成した任意の多角形の図形を指定し移動することで、この操作に影響するすべての図形と図形の間隔を任意の幅で保持し続けたまま、この操作に影響するすべての多角形の図形を、任意の位置に移動することができる請求項１から請求項３の何れか１項記載のマンガ用枠線描画装置。
【請求項７】
任意の多角形の図形の任意の角を指定し移動することで、この操作に影響するすべての図形と図形の間隔を任意の幅で保持し続けたまま、この操作に影響するすべての多角形の図形を、自動的に変形することができる請求項１から請求項３の何れか１項記載のマンガ用枠線描画装置。
【請求項８】
線若しくは、図形と図形の幅等を表現する手段として、仮想の定規又は下絵を用いる請求項１から請求項３の何れか１項記載のマンガ用枠線描画装置。
【請求項９】
入力手段から指定された線を中心として複数の線を描画するための線描画手段と、この線描画手段により形成された複数の線により、台紙を分割して複数のコマを形成するためのコマ確定手段と、このコマ確定手段により形成された複数のコマを表示又はプリントするための出力手段とを制御するための手順が記憶されているフロッピディスク、ＣＤ、ＣＤＲ、ＭＯ、ＤＶＤ等の電子的記憶媒体。
【請求項１０】
入力手段から入力されたコマ数を指定するためのコマ数指定手段と、入力手段から入力された縦・横各々の線の幅を指定するための線幅指定手段と、コマ数指定手段で指定されたコマ数からワク線数を決定し、コマのサイズを確定するためのコマエリア決定手段と、このコマエリア決定手段により決まったコマを描画するための枠線描画手段と、この枠線描画手段により形成された複数のコマを表示又はプリントするための出力手段とを制御するための手順が記憶されているフロッピディスク、ＣＤ、ＣＤＲ、ＭＯ、ＤＶＤ等の電子的記憶媒体。
【請求項１１】
多角形の図形を描画するための図形描画手段と、この図形描画手段で描画されら多角形の辺に沿って指定間隔の線を形成するための線描画手段と、この線描画手段で形成された線により、台紙を分割して複数の図形のコマを形成するためのコマ確定手段と、このコマ確定手段により形成された複数のコマを表示又はプリントするための出力手段とを制御するための手順が記憶されているフロッピディスク、ＣＤ、ＣＤＲ、ＭＯ、ＤＶＤ等の電子的記憶媒体。
【発明の詳細な説明】
【０００１】
【産業上の利用分野】
本発明は、マンガ用のコマを作成するための描画装置等であって、特に、コマとコマの間隔を任意の幅に自動的に保持することができる等の描画装置等に関するものである。
【０００２】
【従来の技術】
従来マンガを作画するには、コンピュータの利用するしないを問わず、それを描く台紙の上に、複数個からなるコマと呼ばれる多角形の図形を配置する必要があり、大抵の場合、そのコマとコマの間隔は、任意の幅を保持することが作画の基本となっている。
【０００３】
【発明が解決しようとする課題】
しかしながら、従来の技術では、そのコマとコマの間隔を任意の幅に保持するためには、一つ一つの線を注意深く描いていくしか方法がなく、そのためマンガを１ページ描くごとに毎回同じ労力を繰り返し強いられていた。
【０００４】
また、マンガを作画する際にコンピュータを用いる場合は、予めコマの領域を設定するステップが入るためにユーザーによるコマ設計プロセスが必要となり、更に、コマを構成する線を引く際には、使用するコンピュータの特性により、ディスプレイ等の表示装置の解像度の差による誤差が避けられず、利用者に対して必要以上のコマの作画能力を強いるという問題点があった。
【０００５】
【課題を解決するための手段】
本発明は上記課題に鑑み案出されたもので、マンガ用のコマを作成するための描画装置であって、入力手段から指定された線を中心として複数の線を描画するための線描画手段と、この線描画手段により形成された複数の線により、台紙を分割して複数のコマを形成するためのコマ確定手段と、このコマ確定手段により形成された複数のコマを表示又はプリントするための出力手段とから構成されている。
【０００６】
また本発明は、入力手段から入力されたコマ数を指定するためのコマ数指定手段と、入力手段から入力された縦・横各々の線の幅を指定するための線幅指定手段と、コマ数指定手段で指定されたコマ数からワク線数を決定し、コマのサイズを確定するためのコマエリア決定手段と、このコマエリア決定手段により決まったコマを描画するための枠線描画手段と、この枠線描画手段により形成された複数のコマを表示又はプリントするための出力手段とから構成されている。
【０００７】
更に本発明は、多角形の図形を描画するための図形描画手段と、この図形描画手段で描画された多角形の辺に沿って指定間隔の線を形成するための線描画手段と、この線描画手段で形成された線により、台紙を分割して複数の図形のコマを形成するためのコマ確定手段と、このコマ確定手段により形成された複数のコマを表示又はプリントするための出力手段とから構成されている。
【０００８】
また本発明に使用される線は、実線の他に文字や図形等を使用する構成にすることもできる。
【０００９】
そして本発明は、等幅を含む任意の間隔を持つ複数の枠線を指定し移動することで、この操作に影響するすべての図形と図形の間隔を任意の幅で保持し続けたまま、この操作に影響するすべての多角形の図形を、自動的に変形あるいは移動することもできる。
【００１０】
また本発明は、作成した任意の多角形の図形を指定し移動することで、この操作に影響するすべての図形と図形の間隔を任意の幅で保持し続けたまま、この操作に影響するすべての多角形の図形を、任意の位置に移動することもできる。
【００１１】
更に本発明は、任意の多角形の図形の任意の角を指定し移動することで、この操作に影響するすべての図形と図形の間隔を任意の幅で保持し続けたまま、この操作に影響するすべての多角形の図形を、自動的に変形することもできる。
【００１２】
そして本発明は、線若しくは、図形と図形の幅等を表現する手段として、仮想の定規又は下絵を用いる構成にすることもできる。
【００１３】
また本発明の電子的記憶媒体は、入力手段から指定された線を中心として複数の線を描画するための線描画手段と、この線描画手段により形成された複数の線により、台紙を分割して複数のコマを形成するためのコマ確定手段と、このコマ確定手段により形成された複数のコマを表示又はプリントするための出力手段とを制御するための手順が記憶されている。
【００１４】
そして本発明の電子的記憶媒体は、入力手段から入力されたコマ数を指定するためのコマ数指定手段と、入力手段から入力された縦・横各々の線の幅を指定するための線幅指定手段と、コマ数指定手段で指定されたコマ数からワク線数を決定し、コマのサイズを確定するためのコマエリア決定手段と、このコマエリア決定手段により決まったコマを描画するための枠線描画手段と、この枠線描画手段により形成された複数のコマを表示又はプリントするための出力手段とを制御するための手順が記憶されている。
【００１５】
更に本発明の電子的記憶媒体は、多角形の図形を描画するための図形描画手段と、この図形描画手段で描画されら多角形の辺に沿って指定間隔の線を形成するための線描画手段と、この線描画手段で形成された線により、台紙を分割して複数の図形のコマを形成するためのコマ確定手段と、このコマ確定手段により形成された複数のコマを表示又はプリントするための出力手段とを制御するための手順が記憶されている。
【００１６】
【発明の実施の形態】
以上の様に構成された本発明は、線描画手段が、入力手段から指定された線を中心として複数の線を描画し、コマ確定手段が、線描画手段により形成された複数の線により、台紙を分割して複数のコマを形成し、出力手段が、コマ確定手段により形成された複数のコマを表示又はプリントする様になっている。
【００１７】
また本発明は、コマ数指定手段が、入力手段から入力されたコマ数を指定し、線幅指定手段が、入力手段から入力された縦・横各々の線の幅を指定し、コマエリア決定手段が、コマ数指定手段で指定されたコマ数からワク線数を決定し、コマのサイズを確定し、枠線描画手段が、コマエリア決定手段により決まったコマを描画し、出力手段が、枠線描画手段により形成された複数のコマを表示又はプリントする様になっている。
【００１８】
更に本発明は、図形描画手段が、多角形の図形を描画し、線描画手段が、図形描画手段で描画された多角形の辺に沿って指定間隔の線を形成し、コマ確定手段が、線描画手段で形成された線により、台紙を分割して複数の図形のコマを形成し、出力手段が、コマ確定手段により形成された複数のコマを表示又はプリントする様になっている。
【００１９】
また本発明の電子的記憶媒体は、入力手段から指定された線を中心として複数の線を描画するための線描画手段と、この線描画手段により形成された複数の線により、台紙を分割して複数のコマを形成するためのコマ確定手段と、このコマ確定手段により形成された複数のコマを表示又はプリントするための出力手段とを制御するための手順が記憶されている。
【００２０】
そして本発明の電子的記憶媒体は、入力手段から入力されたコマ数を指定するためのコマ数指定手段と、入力手段から入力された縦・横各々の線の幅を指定するための線幅指定手段と、コマ数指定手段で指定されたコマ数からワク線数を決定し、コマのサイズを確定するためのコマエリア決定手段と、このコマエリア決定手段により決まったコマを描画するための枠線描画手段と、この枠線描画手段により形成された複数のコマを表示又はプリントするための出力手段とを制御するための手順が記憶されている。
【００２１】
更に本発明の電子的記憶媒体は、多角形の図形を描画するための図形描画手段と、この図形描画手段で描画されら多角形の辺に沿って指定間隔の線を形成するための線描画手段と、この線描画手段で形成された線により、台紙を分割して複数の図形のコマを形成するためのコマ確定手段と、このコマ確定手段により形成された複数のコマを表示又はプリントするための出力手段とを制御するための手順が記憶されている。
【００２２】
【実施例】
【００２３】
本発明の実施例を図面に基づいて説明する。
【００２４】
図９に示す様に、本実施例のマンガ用枠線描画装置１００００は、入力手段５１００と、演算処理手段６０００と、表示手段７０００と、プリント手段８０００とから構成されている。表示手段７０００とプリント手段８０００とは、出力手段に該当する。
【００２５】
入力手段５１００は、マウス、キーボード等、適宜の装置が使用される。演算処理手段６０００は、ＣＰＵ、メモリ等を備えたパーソナルコンピュータ等が採用される。
【００２６】
表示手段７０００は、液晶表示装置やディスプレイ装置等が使用される。またプリント手段８０００は、プリンタ装置等が使用される。
【００２７】
演算処理手段６０００には、線描画手段６１００と、コマ確定手段６２００と、コマ数指定手段６３００と、線幅指定手段６４００と、エリア記憶手段６５００と、コマエリア決定手段６６００と、枠線描画手段６７００と、図形描画手段６８００と、選択手段６９００と、等間隔固定手段６９５０とが備えられている。
【００２８】
「第１実施例］
【００２９】
図１に示す台紙１０００を分割してコマ１００、１００を形成する場合を説明する。
【００３０】
図１の（ａ）に示す台紙１０００に、図１の（ｂ）に示す様な任意の直線１０を形成する。その直線１０を中心に等幅の２本線２０、２０とが形成され、その２本線２０、２０に分断される様に図１の（ｃ）に示す様な新しいコマ２つのコマ１００、１００が作成される。
【００３１】
なお本第１実施例では、この操作後も全てのコマ１００とコマ１００の間隔の幅は変動しない。この直線１０の長さと方向には制限はなく、指定の方向に直線１０を引くだけで、図１の（ｄ）や図１の（ｅ）に示す様に、コマ１００とコマ１００の間隔は等幅に保持されたままでコマ１００は分断される。
【００３２】
即ち、本第１実施例は、台紙１０００を擬似的に切り分ける状態を設定することにより、その切り分ける２本線２０、２０が、コマ１００とコマ１００を隔てる任意の間隔を保持した２本の枠線へと自動的に変化し、結果として複数のコマ１００、１００・・・が自動的に生成される。
【００３３】
入力手段５１００から操作者により指定された１本の線を中心線として２本線２０、２０を描画するための線描画手段６１００と、この線描画手段６１００により形成された２本線２０、２０の交差する点を頂点とするコマ確定手段６２００とが、複数のコマを形成し、表示手段７０００及びプリント手段８０００に、複数のコマを表出することができる。
【００３４】
コマ確定手段６２００が、線描画手段６１００により形成された２本線２０、２０と、台紙１０００との交差する点を頂点するコマを分割作成することができる。
【００３５】
なお本第１実施例は、線描画手段６１００により形成された線を２本で説明したが、適宜の複数本形成することができる。なお、この線は等幅でも、適宜変化させてもよい。
【００３６】
「第２実施例」
【００３７】
図１の（ａ）に示す台紙１０００に対して、図１の（ａ）に示すコマ数指定ウィンドウを開き、コマ数を入力することで、台紙１０００の上に入力された数値に応じたコマ１００、１００・・・・が自動的に作成され、図１の（ｂ）に示す様に、全てのコマ１００とコマ１００の間隔は自動的に任意の幅に調整される。即ち図１の（ｂ）の場合には、縦に２分割、横に３分割となっている。
【００３８】
本第２実施例は、入力手段５１００から操作者により入力されたコマ数を指定するためのコマ数指定手段６３００と、入力手段５１００から操作者により入力された縦・横各々の線の幅を指定するための線幅指定手段６４００と、台紙１０００のサイズを記憶するためのエリア記憶手段６５００と、前記コマ数指定手段６３００で指定されたコマ数からワク線数を決定し、コマ１００のサイズを確定するためのコマエリア決定手段６６００と、このコマエリア決定手段６６００により決まったコマを描画するための枠線描画手段６７００とから構成されている。
【００３９】
コマエリア決定手段６６００は、エリア記憶手段６５００に記憶された台紙１０００のサイズと、コマ数指定手段６３００で指定されたコマ数とから、コマ１００のサイズを演算することができる。
【００４０】
「第３実施例」
【００４１】
図１の（ａ）に示す台紙１０００に対して、図３の（ａ）に示す様なコマ１００となる任意の図形を作成して追加すると、図３の（ｂ）に示す様に、既に存在するコマ１０１と新しいコマ１０２との間に、自動的に任意の間隔が作成される。
【００４２】
本第３実施例は、台紙１０００上に多角形の図形を複数配置することで、その複数の図形のそれぞれの間隔を、等幅を含む任意の幅に保ったままで、複数の図形からなる形状のコマ１００、１００・・・を作成するものである。
【００４３】
台紙１０００上に多角形の図形を描画するための図形描画手段６８００と、この図形描画手段６８００で描画されら多角形の辺に沿って指定間隔の線を形成するための線描画手段６１００と、この線描画手段６１００で形成された線が交差する点を頂点とする新しいコマ１００を作成するためのコマ確定手段６２００からなる。
【００４４】
指定間隔の線は、等幅であっても、適宜変化するものであってもよい。
【００４５】
「第４実施例」
【００４６】
図１の（ａ）に示す台紙１０００に対して、図４の（ａ）に示す様に、任意のコマ１００とコマ１００との間にある間隔を選択し、右方向に移動すると、その位置までコマ１００とコマ１００の間隔が移動し、図４の（ｂ）に示す様に、それに影響する全てのコマ１００、１００・・・・が自動的に変形する。なお、この操作後も全てのコマ１００とコマ１００の間隔の幅は変動しない。また図４の（ｃ）に示す様に、右方向に移動した場合も、図４の（ｄ）に示す様に、その位置までコマ１００とコマ１００の間隔が移動し、それに影響する全てのコマ１００、１００・・・が自動的に変形する。
【００４７】
第４実施例は、コマ１００の辺や頂点あるいは中心点を選択するための選択手段６９００と、等幅関係にある複数のコマの辺もしくは複数の頂点の間隔を等幅に保つための等間隔固定手段６９５０と、指定された変形・位置変化によりコマを再描画するためのコマ確定手段６２００とから構成される。
【００４８】
「第５実施例］
【００４９】
図１の（ａ）に示す台紙１０００に複数のコマ１００、１００・・・・が展開されており、任意のコマを選択して図５の（ａ）に示す様に、上方向に移動させた、コマ１００とコマ１００の間隔を従来の幅に保持する様に、図５の（ｂ）に示す様に、この移動に影響する残り全てのコマ１００が自動的に変形する。尚、この操作後も全てのコマ１００とコマ１００の間隔の幅は変動しない。
【００５０】
また図５の（ｃ）に示す様に、任意のコマ１００を下方向に移動させた場合も同様に、図５の（ｄ）に示す様に、コマ１００とコマ１００の間隔を維持する様に、この移動に影響する残り全てのコマ１００、１００・・・が自動的に変形する。
【００５１】
等幅を含む任意の間隔を持つ複数の枠線、または作成した任意の多角形の図形、または任意の多角形の図形の任意の角を指定し移動することで、この操作に影響する全ての図形と図形の間隔を任意の幅で保持したまま、この操作に影響する全ての多角形の図形を、自動的に変形あるいは移動させることができる。
【００５２】
「第６実施例」
【００５３】
図１の（ａ）に示す台紙１０００に複数のコマ１００、１００・・・・が展開されており、任意のコマ１００の右上の角を選択し、図６の（ａ）に示す様に、右方向に移動すると、その位置までコマ１００の角が移動し、その移動に伴って自動的にコマの形状が変形し、図６の（ｂ）に示す様に、それに影響する全てのコマ１００、１００・・・・も自動的に変形する。尚、この操作後も全てのコマ１００とコマ１００の間隔の幅は変動しない。
【００５４】
なお、コマ１００となる図形を変形させるには、図６の（ｃ）に示す様に、任意の角が移動した状態に、図形が変形するものや、図６の（ｄ）に示す様に、任意の線が移動した状態に、図形が変形するものがある。
【００５５】
「第７の実施例」
【００５６】
図１の（ａ）に示す台紙１０００に展開してある複数のコマ１００、１００・・・・から、図７の（ａ）に示す様に、任意のコマ１００を選択すれば、図７の（ｂ）に示す様に、そのコマ１００に使用される枠線を任意の文字や図形等に変換するとができる。
【００５７】
コマの描画時に使用される枠線については、実線の他に文字や図形等を用いることができる。第７の実施例は、文字や図形等を選択する選択手段６９００と、枠線を描画する位置に対して文字や図形を描くための枠線描画手段６７００とからなる。
【００５８】
「第８の実施例」
【００５９】
図１の（ａ）に示す台紙１０００に対して、図８の（ａ）に示す様に、任意の位置にコマ枠定規２００を置くと、そのコマ枠定規２００と等幅の２本線２１０、２１１が引かれ、その２本線２１０、２１１に分断されるように新しいコマ１００、１００が作成される。
【００６０】
また図８の（ｂ）に示す様に、コマ枠定規２００を移動することにより、コマ枠定規２００に関連した等幅の２本線２１０、２１１もコマ枠定規２００と共に移動する。
【００６１】
尚、台紙１０００上に更に追加してコマ枠定規２００を置くことで、同様にコマ数を増やすこともできる。
【００６２】
コマの描画時に使用される枠線もしくは図形と図形の幅を表現する手段として、コンピュータの計算により得られる仮想の定規であるコマ枠定規２００を用いることができる。
【００６３】
以上の様に構成された本実施例は、コマ１００とコマ１００の間隔を意識しなくとも、複数のコマ１００、１００・・・・を描くだけで、その間隔は、等幅を含む任意の幅に自動的に調整される。
【００６４】
またその際は、先に準備した下書きなどの任意の描画情報を新たに生成するコマ１００の枠線としてそのまま利用することもでき、この場合もコマ１００とコマ１００の間隔は自動的に任意の間隔に調整される。
【００６５】
更に、１ページにおけるコマ１００の総数を指定することによりコマ１００を自動的に発生させ整然と配置することができる。この場合もコマ１００とコマ１００の間隔は自動的に任意の間隔に調整される。
【００６６】
また、台紙１０００を擬似的に切り分ける状態を設定することにより、その切り分ける線がコマ１００とコマ１００を隔てる任意の間隔を保持した複数の線へと自動的に変化し、結果として複数のコマ１００、１００・・・・が自動的に生成される。
【００６７】
更に、上記全てのコマ１００の生成段階において、コマ１００の移動、又はコマ１００の角を摘み移動することで行う変形などを実行場合でも、コマ１００とコマ１００の間は任意の間隔で保持されることが保証される。
【００６８】
なお電子的記憶媒体は、フロッピディスク（ＦＤ）、ＣＤ（コンパクトディスク）、ＣＤＲ、ＭＯ、ＤＶＤ等が採用され、プログラム等を固定することができる電子的記憶媒体であれば、何れのものを使用することができる。
【００６９】
【効果】
以上の様に構成された本発明は、マンガ用のコマを作成するための描画装置であって、入力手段から指定された線を中心として複数の線を描画するための線描画手段と、この線描画手段により形成された複数の線により、台紙を分割して複数のコマを形成するためのコマ確定手段と、このコマ確定手段により形成された複数のコマを表示又はプリントするための出力手段とからなるので、マンガを描く際の基本である、コマとコマの間隔を任意の幅に保持したままで、ユーザーが望みうる如何様な形状のコマもしくは枠線であっても、素早く確実に描画できるという卓越した効果がある。
【００７０】
【図面の簡単な説明】
【図１】本発明の第１実施例を説明する図である。
【図２】本発明の第２実施例を説明する図である。
【図３】本発明の第３実施例を説明する図である。
【図４】本発明の第４実施例を説明する図である。
【図５】本発明の第５実施例を説明する図である。
【図６】本発明の第６実施例を説明する図である。
【図７】本発明の第７実施例を説明する図である。
【図８】本発明の第８実施例を説明する図である。
【図９】本実施例のマンガ用枠線描画装置１００００を説明する図である。
【符号の説明】
１００００  マンガ用枠線描画装置
１０００  台紙
１００  コマ
５１００  入力手段
６０００  演算処理手段
６１００  線描画手段
６２００  コマ確定手段
６３００  コマ数指定手段
６４００  線幅指定手段
６５００  エリア記憶手段
６６００  コマエリア決定手段
６７００  枠線描画手段
６８００  図形描画手段
６９００  選択手段
６９５０  等間隔固定手段
７０００  表示手段
８０００  プリント手段
【図１】
2004342002.tif 000003
【図２】
2004342002.tif 000004
【図３】
2004342002.tif 000005
【図４】
2004342002.tif 000006
【図５】
2004342002.tif 000007
【図６】
2004342002.tif 000008
【図７】
2004342002.tif 000009
【図８】
2004342002.tif 000010
【図９】
2004342002.tif 000011